(57)【要約】【課題】過大な流量でも計測することができる流量計を提供する。【解決手段】流路１１１に位置する指標部材１２０が流体の流動の浮力により浮遊する。指標部材１２０の上方に一方の極性を指標マグネット１３０が発生する。流路本体１１０の上部に位置する本体マグネット１４０が指標マグネット１３０に斥力を発生させる。このため、指標部材１２０が流路１１１の下方に位置する状態では、流量のみに対応した位置に浮遊する。しかし、指標部材１２０が流路１１１の上方に位置する状態では、流量だけでなく指標マグネット１３０と本体マグネット１４０との斥力に対応した位置に浮遊する。【選択図】図１
2012008031.tif 000002
【特許請求の範囲】
【請求項１】
流体が下方から上方に流動する流路を形成する流路本体と、
前記流路に位置して前記流体の流動の浮力により浮遊する指標部材と、
前記指標部材の上方に一方の極性を発生する指標マグネットと、
前記流路本体の上部に位置して前記指標マグネットに斥力を発生させる本体マグネットと、
を有する流量計。
【請求項２】
前記流路本体は、前記流路が下方から上方に拡開している請求項１に記載の流量計。
【請求項３】
前記指標部材を上下方向にスライド自在に支持するガイド機構を、さらに有する請求項１または２に記載の流量計。
【発明の詳細な説明】
【技術分野】
【０００１】
本発明は、流体の流量を計測する流量計に関する。
【背景技術】
【０００２】
現在、流体の流量を計測するために流量計が利用されている。例えば、ある流量計は、流体が下方から上方に流動する流路を流路本体が形成する。その流路に位置する指標部材が流体の流動の浮力により浮遊する。
【０００３】
流路本体は、流路が下方から上方に拡開しているので、流量により指標部材の浮遊する位置が変化する。このため、浮遊する指標部材の位置により流量を計測することができる(特許文献１，２)。
【先行技術文献】
【特許文献】
【０００４】
【特許文献１】特開平１０−２８１８２８号公報
【特許文献２】特開平１１−１９０６４４号公報
【発明の概要】
【発明が解決しようとする課題】
【０００５】
しかし、上述のような流量計は、流量のみに対応して浮遊する指標部材の位置で、流量を計測するため、例えば、過大な流量を正確に計測できない懸念がある。
【０００６】
本発明は上述のような課題に鑑みてなされたものであり、過大な流量でも計測することができる流量計を提供するものである。
【課題を解決するための手段】
【０００７】
本発明の流量計は、流体が下方から上方に流動する流路を形成する流路本体と、流路に位置して流体の流動の浮力により浮遊する指標部材と、指標部材の上方に一方の極性を発生する指標マグネットと、流路本体の上部に位置して指標マグネットに斥力を発生させる本体マグネットと、を有する。
【０００８】
従って、本発明の流量計では、流体が下方から上方に流動する流路を流路本体が形成する。流路に位置する指標部材が流体の流動の浮力により浮遊する。指標部材の上方に一方の極性を指標マグネットが発生する。流路本体の上部に位置する本体マグネットが指標マグネットに斥力を発生させる。このため、指標部材は、流路の下方に位置する状態では、流量のみに対応した位置に浮遊する。しかし、指標部材は、流路の上方に位置する状態では、流量だけでなく指標マグネットと本体マグネットとの斥力に対応した位置に浮遊する。
【０００９】
上述のような流量計において、流路本体は、流路が下方から上方に拡開していてもよい。
【００１０】
上述のような流量計において、指標部材を上下方向にスライド自在に支持するガイド機構を、さらに有してもよい。
【００１１】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１２】
本発明の流量計では、指標部材は、流路の下方に位置する状態では、流量のみに対応した位置に浮遊する。しかし、指標部材は、流路の上方に位置する状態では、流量だけでなく指標マグネットと本体マグネットとの斥力に対応した位置に浮遊する。従って、指標マグネットと本体マグネットとの斥力により指標部材の浮遊が抑制されるので、過大な流量でも計測することができる。
【図面の簡単な説明】
【００１３】
【図１】本発明の実施の形態の流量計の内部構造を示す模式的な縦断正面図である。
【図２】流量計の内部構造を示す模式的な縦断正面図である。
【図３】流量計の内部構造を示す模式的な縦断正面図である。
【発明を実施するための形態】
【００１４】
本発明の実施の一形態を図面を参照して以下に説明する。本実施の形態の流量計１００は、図１ないし図３に示すように、流体が下方から上方に流動する流路１１１を形成する流路本体１１０と、流路１１１に位置して流体の流動の浮力により浮遊する指標部材１２０と、指標部材１２０の上方に一方の極性を発生する指標マグネット１３０と、流路本体１１０の上部に位置して指標マグネット１３０に斥力を発生させる本体マグネット１４０と、を有する。
【００１５】
なお、本実施の形態の流量計１００も、流路本体１１０は、流路１１１が下方から上方に拡開した円錐状に形成されている。これに対応して、指標部材１２０は、下方から上方に拡開した円錐台形に形成されている。また、流路本体１１０は指標部材１２０を外部から観測できる透明な樹脂等で形成されており、その外面には目盛１１２が形成されている。
【００１６】
なお、本実施の形態の流量計１００では、指標部材１２０を上下方向にスライド自在に支持するガイド機構であるガイドシャフト１１３が、流路本体１１０の下端から上端まで立設されている。
【００１７】
上述のような構成において、本実施の形態の流量計１００では、流路１１１に位置する指標部材１２０が流体の流動の浮力により浮遊する。図１ないし図２に示すように、指標部材１２０は、流路１１１の下方に位置する状態では、流量のみに対応した位置に浮遊する。そこで、少量の流量を正確に計測することができる。
【００１８】
しかし、図３に示すように、指標部材１２０は、流路１１１の上方に位置する状態では、流量だけでなく指標マグネット１３０と本体マグネット１４０との斥力に対応した位置に浮遊する。従って、指標マグネット１３０と本体マグネット１４０との斥力により指標部材１２０の浮遊が抑制されるので、過大な流量でも計測することができる。
【００１９】
しかも、本実施の形態の流量計１００では、流路本体１１０の下端から上端まで立設されているガイドシャフト１１３で、指標部材１２０が上下方向にスライド自在に支持されている。
【００２０】
このため、指標部材１２０が円滑に上下方向にスライド移動することができ、指標部材１２０が本体マグネット１４０に接近しても指標マグネット１３０との磁力のために上下逆様になるようなことがない。
【００２１】
なお、本発明は本実施の形態に限定されるものではなく、その要旨を逸脱しない範囲で各種の変形を許容する。
【符号の説明】
【００２２】
１００    流量計
１１０    流路本体
１１１    流路
１１２    目盛
１２０    指標部材
１３０    指標マグネット
１４０    本体マグネット
【図１】
2012008031.tif 000003
【図２】
2012008031.tif 000004
【図３】
2012008031.tif 000005